(57)【要約】【課題】LEDランプ基板の放熱効率向上。【解決手段】基板１０表面及び底面のLEDランプ２０設定位置に銅箔１１を形成して各銅箔１１上にそれぞれLEDランプ２０を設置し、各LEDランプ２０の各銅箔１１と接する底面には絶縁層を設けて該絶縁層を介して、LEDランプ２０の発熱を各銅箔１１に伝導させる。各LEDランプ２０と接触する銅箔１１位置には、１個以上の放熱導孔１２をそれぞれ形成し、該放熱導孔内面には裏面に形成した銅箔と接続する銅箔層を形成して、LEDランプの発熱を基板底面側の銅箔に伝導して放熱効果を向上する。【選択図】図１
0003164752.tif 000002
【実用新案登録請求の範囲】
【請求項１】
複数のLEDランプを搭載する基板の表面及び底面のLEDランプ設定位置に、それぞれ銅箔層を配列して形成すると共に該基板の底面の銅箔には酸化防止用スズ層を設け、
さらに、該基板のLEDランプ搭載箇所に表裏面の銅箔に至る１個以上の放熱導孔をそれぞれ設けると共にその導孔内面に銅箔層を形成してこれ等基板表裏面の銅箔を接続し、
該各LEDランプの底面に絶縁層を形成して、該LEDランプを該絶縁層を介して基板上の銅箔層上に搭載して、該LEDランプの発熱を表面側の銅箔層から放熱導孔の銅箔層を経て基板裏面の銅箔層に伝導するようにした、ことを特徴とするLED照明器具の放熱構造。
【請求項２】
前記基板の該各銅箔に近い設定位置には、１個以上の放熱導孔を設置したことを特徴とする請求項１に記載のLED照明器具の放熱構造。
【請求項３】
２個の半割り型の透明体からなり、合体して一体となるランプシェードに上記基板を収容して覆ったことを特徴とする請求項１に記載のLED照明器具の放熱構造。
【請求項４】
前記ランプシェードは、細長い管状であることを特徴とする請求項３に記載のLED照明器具の放熱構造。
【請求項５】
前記基板は、円板状であることを特徴とする請求項１に記載のLED照明器具の放熱構造。
【請求項６】
電球状のランプシェードを設けて、該ランプシェード内に上記円形基板を設置した
ことを特徴とする請求項５に記載のLED照明器具の放熱構造。
【請求項７】
前記LEDランプをそれぞれ透明小円形シェードによって被覆したことを特徴とする請求項１に記載のLED照明器具の放熱構造。
【考案の詳細な説明】
【技術分野】
【０００１】
本考案はLED照明器具の放熱構造に関し、特にLEDランプ基板の放熱を効果的に行うことができるLED照明器具の放熱構造に関する。
【背景技術】
【０００２】
従来のLEDランプ基板構造の大部分では、LEDランプを基板上面の銅箔上に直接組み立てる。
これにより、各LEDランプは、各銅箔にそれぞれ熱伝導経路を形成する。
しかし、LEDランプは使用時に高熱を発するが、従来の基板構造は、好適な放熱機能を持たないため、高熱がLEDランプの使用寿命を大幅に低下させ、LEDランプ全体の歩留まりを低下させる恐れさえある。
本考案は、従来のLEDランプ基板構造の上記した欠点に鑑みてなされたものである。
【先行技術文献】
【特許文献】
【０００３】
【特許文献１】特開２００７−２７３２０５号公報
【考案の概要】
【考案が解決しようとする課題】
【０００４】
本考案が解決しようとする第一の課題は、熱伝導速度及び面積を拡大でき、これにより高熱を迅速に発散するため、最適な放熱効果を備えるLED照明器具の放熱構造を提供することである。
本考案が解決しようとする第二の課題は、LEDランプの寿命を延長し、全体的な光の減衰が小さく、最適な輝度を備えるLED照明器具の放熱構造を提供することである。
【課題を解決するための手段】
【０００５】
上記課題を解決するため、本考案は下記のLED照明器具の放熱構造を提供する。
LED照明器具の放熱構造は、基板を備え、
該基板の表面及び底面の設定位置には、銅箔層を配列して形成し、該基板の底面の銅箔にはさらに酸化防止用スズ層を設置し、
該各銅箔表面には、LEDランプをそれぞれ設置し、これにより該各LEDランプは、該各銅箔に熱伝導経路を形成し、
該各LEDランプの底面には、該各銅箔と接触する絶縁層をそれぞれ備え、かつ該基板と該各LEDランプとが接触する銅箔１１位置には、１個以上の放熱導孔１２をそれぞれ設置し、
該放熱導孔の内縁面にも、銅箔を設置し、これにより表面と底面の銅箔は、熱伝導経路を形成し、
該基板の該各銅箔に近い設定位置には、１個以上の放熱導孔を設置し、
さらに、２個の半割り型の透明材料からなる透明ランプシェードを備え、該ランプシェード内に該基板を収容し、これにより該基板上の各LEDランプは、該ランプシェードにより覆われ、
該ランプシェードは、細長い管状で、
該基板は、円板状で、
又は、電球状のランプシェードを備え、該円形基板は、該電球状のランプシェード内に設置し、
あるいは、１個以上の透明小円シェードを備え、該各小円シェードは、該各LEDランプの外周縁をそれぞれ覆って定位する。
【考案の効果】
【０００６】
本考案のLED照明器具の放熱構造は、熱伝導速度及び面積を拡大でき、これにより高熱を迅速に発散するため、最適な放熱効果を備え、さらにLEDランプの寿命を延長し、全体的な光の減衰が小さく、最適な輝度を備える。
【図面の簡単な説明】
【０００７】
【図１】本考案第一実施例の立体分解模式図である。
【図２】本考案第一実施例の立体組合せ模式図である。
【図３】図２の３−３位置における組合せ断面模式図である。
【図４】本考案第二実施例の立体分解模式図である。
【図５】本考案第二実施例の組合せ断面模式図である。
【図６】本考案第三実施例の立体分解模式図である。
【図７】本考案第三実施例の組合せ断面模式図である。
【図８】本考案第四実施例の立体分解模式図である。
【図９】本考案第五実施例の立体分解模式図である。
【図１０】本考案最適実施例の立体外観模式図である。
【図１１】本考案第六実施例の立体分解模式図である。
【図１２】本考案別種の最適実施例の立体外観模式図である。
【図１３】本考案のさらに別種の最適実施例の立体外観模式図である。
【考案を実施するための形態】
【０００８】
以下に図面を参照しながら本考案を実施するための最良の形態について詳細に説明する。
【実施例】
【０００９】
図１〜１３に示すように、本考案LED照明器具の放熱構造は、基板１０を備える。
【００１０】
該基板１０の表面及び底面の設定位置には、配列状の若干の銅箔１１を設置し、かつ該基板１０の底面の銅箔１１には別に、酸化防止用スズ層１３を設置する。
【００１１】
該各銅箔１１の表面には、LEDランプ２０をそれぞれ設置し、これにより該各LEDランプ２０の発熱は、該各銅箔１１に熱伝導される。
【００１２】
該各LEDランプ２０の底面には、該各銅箔１１と接触する絶縁層２１をそれぞれ備え、かつ、該基板１０と該各LEDランプ２０とが接する銅箔１１位置には、１個以上の放熱導孔１２をそれぞれ設置する。
【００１３】
該放熱導孔１２の内縁面にも、銅箔１１を形成し、これにより表面と底面の銅箔１１は、電気的に接続される。
【００１４】
該基板１０の該各銅箔１１に近い設定位置には、１個以上の放熱導孔１２を設置し（図６、７参照)、さらに２個の半割り型からなる透明ランプシェード３０を備える。
【００１５】
該ランプシェード３０内には、該基板１０に設置でき、これにより該基板１０上の各LEDランプ２０は、該２個のランプシェード３０により覆われる(図１０参照)。
【００１６】
該ランプシェード３０は、細長い管状である。
該基板１０は、円板状である（図１１参照)。
【００１７】
又は、電球状のランプシェード４０を備え、該円形基板１０は、該電球状のランプシェード４０内に設置する（図１２参照)。
【００１８】
あるいは、１個以上の透明小円シェード５０を備え、該各小円シェード５０は、該各LEDランプ２０の外周縁をそれぞれ覆って定位する（図１３参照)。
【００１９】
上記した組合せにより、図１〜１３にさらに示すように、本考案の基板１０と各LEDランプ２０とが接触する銅箔１１位置には、１個以上の放熱導孔１２をそれぞれ設置する（図１〜５参照)。
【００２０】
放熱導孔１２の内縁面にも、銅箔１１を形成し、これにより表面及び底面の銅箔１１は、熱伝導経路として接続される。
【００２１】
或いは別に、該基板１０の該各銅箔１１に近い設定位置にも、１個以上の放熱導孔１２を設けてもよい（図６、７、９参照)。
【００２２】
かつ、該放熱導孔１２の内縁面にも、銅箔１１を形成し、これにより表面及び底面の銅箔１１は、熱伝導経路として接続する。
【００２３】
こうして、該基板１０高温時の熱伝導速度及び面積を拡大し、これにより高熱は、該各放熱導孔１２を経て迅速に発散される。
【００２４】
先ず、該基板１０表面が先に吸熱し、該放熱導孔１２を経て熱を底面側の銅箔層に伝導する。
【００２５】
こうして、最適な放熱効果を備え、これに相対して、該LEDランプ２０の寿命を延長し、しかも全体的な光の減衰が小さく、最適な輝度を備え、高い実用性を備える。
【００２６】
図１０に示すように、本発明のLED照明器具の放熱構造は、半割り型の透明材料からなるランプシェード３０を用い、LEDランプを搭載した基板１０をその内部に収容して被覆してもよい。（図１０参照)。
【００２７】
さらに、本考案は、円板状の基板１０としてもよい（図１１参照)。  該基板は電球状のランプシェード４０内に設置する（図１２参照)，
【００２８】
或いは、透明小円シェード５０を用いて、該各LEDランプ２０をそれぞれ該透明小円シェード５０で被覆してもよい（図１３参照)。
【００２９】
これにより、全体的な組み立て方式が簡単かつ便利で、高い実用性を備えるLEDランプのパネル構造を形成する。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３２】
１０  基板
１１  銅箔
１２  放熱導孔
１３  スズ層
２０  LEDランプ
２１  絶縁層
３０  ランプシェード
４０  ランプシェード
５０  小円シェード
【図１】
0003164752.tif 000003
【図２】
0003164752.tif 000004
【図３】
0003164752.tif 000005
【図４】
0003164752.tif 000006
【図５】
0003164752.tif 000007
【図６】
0003164752.tif 000008
【図７】
0003164752.tif 000009
【図８】
0003164752.tif 000010
【図９】
0003164752.tif 000011
【図１０】
0003164752.tif 000012
【図１１】
0003164752.tif 000013
【図１２】
0003164752.tif 000014
【図１３】
0003164752.tif 000015